(57)【特許請求の範囲】
【請求項１】
浴槽に設けられた洗浄ノズルから洗剤液、湯又は水等を浴槽内に噴射して浴槽の自動洗浄を行うための浴槽洗浄ユニットであって、
上記洗浄ノズルに一端側が接続され、他端側が湯又は水の供給源に接続されて湯又は水が導入される洗浄管と、
洗剤を貯留する洗剤タンクに接続されて洗剤が導入される洗剤供給管とを有し、
上記洗浄管には、上記洗剤供給管が接続されて洗浄管内に流れる湯又は水に対し洗剤供給管から流入される洗剤を混合する洗剤混合部と、この洗剤混合部より上流側に設けられる逆流防止装置とが設けられ、
上記洗浄管における逆流防止装置より上流側には洗浄管内に流れる湯又は水に対し銀イオンを混入させる銀電極を備える銀イオン発生装置が設けられている浴槽洗浄ユニット。
【請求項２】
請求項１に記載の浴槽洗浄ユニットにおいて、
上記洗浄管における上記銀イオン発生装置より上流側に、第二の逆流防止装置が設けられている浴槽洗浄ユニット。
【請求項３】
浴槽に設けられた洗浄ノズルから洗剤液、湯又は水等を浴槽内に噴射して浴槽の自動洗浄を行うための浴槽洗浄ユニットであって、
上記洗浄ノズルに一端側が接続され、他端側が湯又は水の供給源に接続されて湯又は水が供給される洗浄管と、
洗剤を貯留する洗剤タンクに接続されて洗剤が供給される洗剤供給管とを有し、
上記洗浄管には、上記洗剤供給管が接続されて洗浄管内に流れる湯又は水に対し洗剤供給管から流入される洗剤を混合する洗剤混合部と、この洗剤混合部より上流側に設けられる流路切替弁と、この流路切替弁より上流側に設けられる逆流防止装置とが設けられ、
上記流路切替弁には上記洗剤混合部をバイパスする第二の洗浄管が接続され、
上記第二の洗浄管には、この第二の洗浄管内に流れる湯又は水に対し銀イオンを混入させる銀電極を備える銀イオン発生装置が設けられている浴槽洗浄ユニット。
【請求項４】
請求項１ないし３のいずれかに記載の浴槽洗浄ユニットにおいて、
上記銀イオン発生装置は、その銀電極が取替え可能に構成されている浴槽洗浄ユニット。
【発明の詳細な説明】
【技術分野】
【０００１】
本発明は、浴槽に設けられた洗浄ノズルから洗剤液、湯又は水等を浴槽内に噴射して浴槽の自動洗浄を行うための浴槽洗浄ユニットに関するものである。
【背景技術】
【０００２】
従来より、浴槽内の汚れを自動的に洗浄する浴槽洗浄装置が知られている（特許文献１、特許文献２等）。この浴槽洗浄装置は、概略的には、図５に示すように、浴槽１０２内に設けた洗浄ノズル１１１と、この洗浄ノズル１１１に一端側を接続し他端側を給湯器１０３に接続した洗浄管１１３とを有し、この洗浄管１１３の途中に洗剤を送り込む洗剤供給管１１４を接続した洗剤混合部１０５を設けた構成となっている。洗剤供給管１１４は、洗剤原液を貯留する洗剤タンク１１２に接続されている。なお、洗浄管１１３には、洗剤混合部１０５の上流側に開閉弁１９１、水量センサ１９２、水量制御弁１９３が設けられている。そして、浴槽洗浄運転は、洗浄ノズル１１１から、湯又は水を噴射させるすすぎ洗浄と、湯又は水に洗剤混合部１０５で洗剤を混合した洗剤液を噴射させる洗剤洗浄とを組み合わせて行われる。これによって、浴槽１０２内の湯垢がきれいに洗い流されることとなる。
【特許文献１】特許第３５９８８０８号公報
【特許文献２】特許第３８２１０１４号公報
【発明の開示】
【発明が解決しようとする課題】
【０００３】
しかしながら、浴槽１０２内の汚れは、カビや酵母菌等が繁殖して浴槽１０２内の各部に強固に固着することが大きな問題の一つとなっている。このカビや酵母は、湯垢のみならず洗剤をも餌として繁殖するため、湯垢がきれいに落ちたとしても、洗剤が残っているとこの洗剤を餌として発生する。
【０００４】
しかるに、上記従来の浴槽洗浄装置では、浴槽１０２内の隅々まで湯垢を完全に洗い流すことは困難であり、また、噴射した洗剤液の洗剤が浴槽１０２内に残ることもある。従って、浴槽１０２内を洗浄したにもかかわらず、カビや酵母菌等が湯垢や洗剤等を餌として繁殖してしまう。従って、次の入浴時に湯張りされるまでには浴槽１０２内がカビや酵母菌等により汚染されて清潔に保つことが困難であった。
【０００５】
一方、給湯器において浴槽へ湯張りするための湯張り管に銀イオン発生器を設け、湯張り温水に銀イオンを溶解させるもの（特開２００６−１３８５８８号公報）や、給湯器の追焚通路に銀イオン発生器を設け、浴槽内の浴槽水を銀イオン発生装置に循環させて浴槽水中に銀イオンを一定量添加させるものがある（特開平１１−２７６３６７号公報の段落００３７、段落００３８、図３）。これらは、銀イオンの殺菌作用によって浴槽水の殺菌を行うことができるとしている。
しかし、浴槽水を殺菌しても浴槽水は入浴によって人体の脂質等により汚れるため、入浴後に浴槽内の浴槽水を排水すると、この浴槽水の汚れが浴槽内壁、循環金具、排水口等に付着した状態となる。そのため、このまま放置しておくと、浴槽の各部にはカビや酵母菌等が繁殖して汚染され、その結果、次の入浴時に湯張りされるまでには浴槽の各部にはカビや酵母菌等により汚染され浴槽内を清潔に保つことが困難であった。
【０００６】
本発明は、上記事情に鑑みてなされたものであり、浴槽内におけるカビや酵母菌等の繁殖を確実に抑制して次の入浴時まで浴槽内を清潔に保つことができる浴槽洗浄ユニットを提供することを課題とする。
【課題を解決するための手段】
【０００７】
本発明に係る浴槽洗浄ユニットは、
浴槽に設けられた洗浄ノズルから洗剤液、湯又は水等を浴槽内に噴射して浴槽の自動洗浄を行うための浴槽洗浄ユニットであって、
上記洗浄ノズルに一端側が接続され、他端側が湯又は水の供給源に接続されて湯又は水が導入される洗浄管と、
洗剤を貯留する洗剤タンクに接続されて洗剤が導入される洗剤供給管とを有し、
上記洗浄管には、上記洗剤供給管が接続されて洗浄管内に流れる湯又は水に対し洗剤供給管から流入される洗剤を混合する洗剤混合部と、この洗剤混合部より上流側に設けられる逆流防止装置とが設けられ、
上記洗浄管における逆流防止装置より上流側には洗浄管内に流れる湯又は水に対し銀イオンを混入させる銀電極を備える銀イオン発生装置が設けられている。
【０００８】
これによれば、銀イオン発生装置を洗浄管に設けることにより、銀イオンを含む湯又は水を洗浄ノズルから浴槽内に噴射させる銀イオン洗浄を行うことができる。従って、浴槽内に銀イオンが付着されるので、銀イオンの抗菌、除菌効果によって浴槽内でのカビや酵母菌等の繁殖を防止することができる。
また、洗浄管において、銀イオン発生装置を洗剤混合部の上流側に設けることにより、洗剤洗浄時に洗剤液が銀イオン発生装置に流れることがない。従って、洗剤液が銀イオン発生装置の銀電極と接触することが防止され、銀電極に洗剤が付着して銀イオンの発生性能が劣化されることもない。
さらに、上記洗浄管には、上記洗剤混合部より上流側で、さらに逆流防止装置よりも上流側に上記銀イオン発生装置が設けられているので、断水等による負圧の発生によって逆流が生じても洗剤混合部で混合された洗剤液が、逆流防止装置よって、これより上流側に流れ込むことが阻止される。また、銀イオン発生装置を上記逆流防止装置の上流側に設けるので、洗剤液が銀イオン発生装置の銀電極と接触することが確実に防止され、銀電極に洗剤が付着して銀イオンの発生性能が劣化されることもない。
【０００９】
また、上記洗浄管には、上記銀イオン発生装置より上流側に第二の逆流防止装置が設けられるように構成してもよい。
これにより、銀イオン発生装置に洗剤液が流れ込むことが防止されると共に、給湯器の出湯管等の湯又は水の供給源側に銀イオンが流れ込むことが防止される。
【００１０】
また、本発明に係る浴槽洗浄ユニットは、
浴槽に設けられた洗浄ノズルから洗剤液、湯又は水等を浴槽内に噴射して浴槽の自動洗浄を行うための浴槽洗浄ユニットであって、
上記洗浄ノズルに一端側が接続され、他端側が湯又は水の供給源に接続されて湯又は水が供給される洗浄管と、
洗剤を貯留する洗剤タンクに接続されて洗剤が供給される洗剤供給管とを有し、
上記洗浄管には、上記洗剤供給管が接続されて洗浄管内に流れる湯又は水に対し洗剤供給管から流入される洗剤を混合する洗剤混合部と、この洗剤混合部より上流側に設けられる流路切替弁と、この流路切替弁より上流側に設けられる逆流防止装置とが設けられ、
上記流路切替弁には上記洗剤混合部をバイパスする第二の洗浄管が接続され、
上記第二の洗浄管には、この第二の洗浄管内に流れる湯又は水に対し銀イオンを混入させる銀電極を備える銀イオン発生装置が設けられている。
【００１１】
これによれば、第二の洗浄管内に銀イオン発生装置を設けることにより、流路切替弁を第二の洗浄管側に切替えて銀イオンを含む湯又は水を洗浄ノズルから浴槽内に噴射させる銀イオン洗浄を行うことができる。従って、浴槽内に銀イオンが付着されるので、銀イオンの抗菌、除菌効果によって浴槽内でのカビや酵母菌等の繁殖を防止することができる。
また、銀イオン発生装置は、洗剤混合部をバイパスする第二の洗浄管に設けられ、この第二の洗浄管の上流端に流路切替弁が設けられているので、流路切替弁を洗剤混合部側に切り替えて、第二の洗浄管側を全閉にした際に洗剤混合部で混合された洗剤液が第二の洗浄管に流れ込むことが阻止される。従って、洗剤液が第二の洗浄管に設けた銀イオン発生装置の銀電極と接触することが防止され、銀電極に洗剤が付着して銀イオンの発生性能が劣化されることもない。
さらに、洗浄管において流路切替弁より上流側に逆流防止装置が設けられているので、この逆流防止装置によって洗剤液や銀イオンを含む湯又は水が給湯器の出湯管等の湯又は水の供給源側に流れ込むことが阻止される。
【００１２】
上記各浴槽洗浄ユニットにおいて、上記銀イオン発生装置は、その銀電極が取替え可能に構成することができる。
これにより、銀イオン発生装置の銀電極が経時使用によって消耗しても、銀電極を新たなものと交換することができる。従って、銀電極の消耗具合に応じて銀電極を適時交換することにより、銀イオン発生装置の銀イオン発生性能を維持することができる。
【発明の効果】
【００１３】
以上のように、本発明によれば、銀イオンを含む湯又は水を洗浄ノズルから浴槽内に噴射させる銀イオン洗浄を行うことができ、これにより、浴槽内におけるカビや酵母菌等の繁殖を確実に抑制して次の入浴時まで浴槽内を清潔に保つことができる。
しかも、銀イオン発生装置を洗剤混合部の上流側に設けるので、洗剤洗浄時に洗剤液が銀イオン発生装置に流れることがなく、銀イオン発生装置の銀電極に洗剤が付着して銀イオンの発生性能が劣化されることもない。
【発明を実施するための最良の形態】
【００１４】
以下に、本発明の実施の形態を説明する。
＜実施形態１＞
実施の形態１による浴槽洗浄ユニット１は、浴槽２の外周部等に設置され、湯又は水の供給源となる給湯器３から湯又は水の供給を受けて浴槽２内に洗剤液、湯又は水等を噴射させて浴槽２を自動洗浄するように構成したものである。また、この浴槽洗浄ユニット１には、銀イオン発生装置７を設けて給湯器３から供給される湯又は水に銀イオンを混入させるようにしている。
【００１５】
図１に示すように、この浴槽洗浄ユニット１は、給湯器３と浴槽２との間に配設されており、浴槽２に取り付けられた洗浄ノズル１１と、洗剤原液を貯留する洗剤タンク１２と、洗浄ノズル１１に一端側が接続され、他端側が給湯器３に接続された洗浄管１３と、洗剤タンク１２の下部から延出されて洗浄管１３の途中に接続された洗剤供給管１４とを備えている。
なお、給湯器３は、給湯用熱交換器３１に接続された給水管３２及び出湯管３３を備える給湯管路３４、追い焚き用熱交換器３５と浴槽２の循環金具２１との間に接続された戻り管３６及び往き管３７を備える追い焚き循環管路３８、出湯管３３から分岐して戻り管３６に接続された湯張り管３９等を備えている。
【００１６】
洗浄ノズル１１は、浴槽２の循環金具２１と一体に設けられており、浴槽２の内壁面及び浴槽２上に載置された浴槽蓋２２の下面に向けて洗剤液や湯又は水等を放射状に噴射させるノズル形状となっている。なお、この洗浄ノズル１１は、循環金具２１とは別に設けられてもよいし、浴槽２の底面に設けられてもよいし、また、複数設けられてもよい。
洗剤タンク１２は、浴槽２の浴槽フランジ２４の下に設置されており、上部には浴槽フランジ２４上に露出された洗剤補給口４１が設けられている。洗剤補給口４１にはタンク蓋４２が取り付けられている。また、洗剤タンク１２の下部には洗剤供給管１４が接続されている。
【００１７】
洗浄管１３は、一端側が洗浄ノズル１１に接続され、他端側が給湯器３の出湯管３３から引き出された接続管３０に接続されている。そして、この洗浄管１３には、洗浄ノズル１１と接続する下流端側から上流側に、洗剤混合部５、逆流防止装置６、銀イオン発生装置７、開閉弁９１、水量センサ９２、水量制御弁９３が順に設けられている。
【００１８】
上記水量制御弁９３は、ステッピングモータ等により弁開度が所定位置に調節される弁である。上記開閉弁９１は、洗浄管１３の流路を開閉するオンオフ弁である。従って、水量制御弁９３を所定開度に設定し開閉弁９１を開くと、給湯器３の出湯管３３より湯又は水が接続管３０を通して洗浄管１３内に導入され、水量制御弁９３により制御された一定水量の湯又は水が洗浄ノズル１１から浴槽２内に向けて噴射される。これにより、浴槽２内のすすぎ洗浄が行われる。
【００１９】
洗剤混合部５は、ベンチュリー構造になっており、洗剤供給管１４が接続されている。洗剤供給管１４には、この洗剤供給管１４の流路を開閉すると共に開度を所定開度に調節する洗剤弁９４が設けられている。従って、水量制御弁９３を所定開度に設定し開閉弁９１を開き、且つ洗剤供給管１４の洗剤弁９４を所定開度に設定して開くと、洗浄管１３を流れる湯又は水がベンチュリー構造の洗剤混合部５を通過する際に生じる負圧によって洗剤タンク１２内の洗剤原液が洗剤供給管１４を通して洗剤混合部５に注入され洗剤液が生成される。そして、この洗剤液が洗浄ノズル１１から浴槽２内に向けて噴射される。これにより、浴槽２内の洗剤洗浄が行われる。
【００２０】
銀イオン発生装置７は、筒体７０内に一対の銀電極７３を備えており（図２参照）、この銀電極７３に通電することで電気分解により銀イオンが筒体７０内を流れる湯又は水に溶解される。従って、水量制御弁９３を所定開度に設定し開閉弁９１を開き、且つ銀イオン発生装置７を稼動しその銀電極７３に通電すると、洗浄管１３内に流れる湯又は水に対し銀イオン発生装置７の筒体７０内を通過する間に銀電極７３の電気分解により銀イオンが溶解される。そして、この銀イオンが混入された湯又は水が洗浄ノズル１１から浴槽２内に向けて噴射される。これにより、浴槽２内の銀イオン洗浄が行われるなお、この湯又は水の銀イオン濃度は、銀電極７３に通電する電流値によって制御される。
【００２１】
また、浴槽洗浄ユニット１には、ＣＰＵやメモリ等を備えるコントローラ１０が設けられている。このコントローラ１０には、浴槽洗浄運転の制御用プログラムが格納されており、このコントローラ１０によって浴槽洗浄運転の動作が制御される。
また、浴槽洗浄ユニット１は、この浴槽洗浄ユニット１を遠隔操作するための洗浄用リモコン８が設けられている。この洗浄用リモコン８には、運転スイッチ８１、洗浄スイッチ８２、表示部８３等が設けられている。そして、洗浄用リモコン８は、コントローラ１０と信号接続されており、この洗浄用リモコン８の運転スイッチ８１のオン状態で洗浄スイッチ８２をオンすると、コントローラ１０によって浴槽洗浄運転が実行される。
【００２２】
上記浴槽洗浄運転は、上述のすすぎ洗浄、洗剤洗浄、銀イオン洗浄の組み合わせより行われる。そして、上記銀イオン洗浄は浴槽洗浄運転の最後に行われる。上記浴槽洗浄運転の一例として、例えば、すすぎ洗浄（予備すすぎ）、洗剤洗浄、すすぎ洗浄（仕上げすすぎ）、銀イオン洗浄がこの順に行われる。
【００２３】
このように、実施の形態１の浴槽洗浄ユニット１によれば、銀イオン洗浄によって、浴槽２の内壁面や浴槽蓋２２の下面に銀イオンが付着され、また同時に、浴槽２の排水口２３や洗浄ノズル１１等にも銀イオンが付着される。そして、この銀イオン洗浄が浴槽洗浄の最後に行われることで、浴槽２内の上記各部には銀イオンが付着された状態に維持されるので、銀イオンの抗菌、除菌効果により、これらの場所でのカビや酵母菌などの繁殖を防止することができる。その結果、浴槽洗浄後から次回の湯張り時まで浴槽２内を清潔に保つことができる。
【００２４】
なお、この銀イオン洗浄のとき、コントローラ１０は、給湯器３の制御部（図示せず）に燃焼禁止信号を出力し、給湯器３から熱交換加熱されない水が洗浄管１３に導入されるようにしてもよい。これにより、洗浄ノズル１１からは、銀イオンを混入した水が噴射され、浴槽２自体を冷ますことができるので、高温多湿下で繁殖しやすいカビや酵母菌等の発生を抑えるのに有効である。
【００２５】
また、銀イオン発生装置７は、洗浄管１３において洗剤混合部５より上流側に設けられている。これにより、上記洗剤洗浄時に洗剤液が銀イオン発生装置７に流れることがない。従って、洗剤液が銀イオン発生装置７の銀電極７３と接触することが防止され、銀電極７３に洗剤が付着して銀イオンの発生性能が劣化されることもない。
【００２６】
また、洗浄管１３において洗剤混合部５より上流側に逆流防止装置６が設けられており、そして、銀イオン発生装置７はこの逆流防止装置６より上流側に設けられている。上記逆流防止装置６は、例えば、逆流防止弁等によって構成されており、断水等により洗浄管１３内に負圧発生等の圧力異常が起こっても洗剤混合部５で混合された洗剤液がこの逆流防止装置６よってこれより上流側に流れ込むことが阻止される。従って、洗浄管１３内に圧力異常が起こっても洗剤液が銀イオン発生装置７の銀電極７３と接触することが確実に防止され、銀電極７３に洗剤が付着して銀イオンの発生性能が劣化されることもない。
【００２７】
一方、図２に示すように、銀イオン発生装置７の筒体７０は、一方の接続口部７６を有する連結管部７１と、他方の接続口部７７を有する銀イオン生成管部７２とを備えており、上記の各接続口部７６，７７が洗浄管１３に接続されている。銀電極７３は、銀イオン生成管部７２に内蔵されている。なお、連結管部７１と銀イオン生成管部７２の外周囲には、二分割の外装ケース７４，７５が配置されている。そして、銀イオン生成管部７２は、連結管部７１に対してカートリッジ式に取替え可能に取り付けられている。すなわち、銀イオン生成管部７２は、そのフランジ部７２ａに連結管部７１のレバー式係止部７１ａを係合させて連結管部７１に取り付けられている。従って、連結管部７１のレバー式係止部７１ａを銀イオン生成管部７２のフランジ部７２ａから係合解除させることで銀イオン生成管部７２が連結管部７１から取外される。
【００２８】
このように、銀イオン発生装置７の銀電極７３は、洗浄管１３には一体形成せずに、銀イオン生成管部７２に内蔵されてこの銀イオン生成管部７２ごと取替え可能に構成されている。従って、銀イオン発生装置７の銀電極７３が経時使用によって消耗しても、銀イオン生成管部７２を新たなものと交換することができる。よって、銀電極７３の消耗具合に応じて銀イオン生成管部７２を適時交換することにより、銀イオン発生装置７の銀イオン発生性能が維持される。
【００２９】
＜変形例＞
上記銀イオン発生装置７は、洗浄管１３において逆流防止装置６より上流側に設けているが、図３に示すように、銀イオン発生装置７は、洗浄管１３において洗剤混合部５より上流側に設けられるが、逆流防止装置６より下流側に設けるようにしてもよい。この場合、逆流防止装置６によって、銀イオン発生装置７で銀イオンが混入された湯又は水が洗浄管１３を逆流して給湯器３の出湯管３３内に流入して出湯管端末３３ａから出湯されることが阻止される。
また、図１に示す浴槽洗浄ユニット１において、洗浄管１３には銀イオン発生装置７の上流位置に第二の逆流防止装置を設け、銀イオン発生装置７を２つの逆流防止装置の間に配置するようにしてもよい。これにより、銀イオン発生装置７に洗剤液が流れ込むことが防止されると共に、給湯器３の出湯管３３側に銀イオンを含む湯又は水が流れ込むことが防止される。
【００３０】
＜実施形態２＞
図４に示すように、実施の形態２の浴槽洗浄ユニット１は、洗浄管１３には、洗剤混合部５をバイパスし、洗剤混合部５と並列に銀イオン発生装置７を配置するためのバイパス管（第二の洗浄管）１５が接続されている。すなわち、洗浄管１３において、洗剤混合部５の上流位置に２方向式の流路切替弁９５が設けられており、この流路切替弁９５にバイパス管１５の上流端が接続され、このバイパス管１５の下流端が洗剤混合部５の下流位置に接続されている。そして、このバイパス管１５に銀イオン発生装置７が設けられている。なお、洗浄管１３において流路切替弁９５の上流位置には逆流防止装置６が設けられている。
【００３１】
この場合、流路切替弁９５は、浴槽洗浄運転時に洗浄ノズル１１から湯又は水を噴射させるすすぎ洗浄及び洗剤液を噴射させる洗剤洗浄を行うときは、湯又は水が洗剤混合部５を配置する洗浄管１３側にのみ流れ込むように流路が切り替えられ、洗浄ノズル１１から銀イオンを混入した湯又は水を噴射させる銀イオン洗浄を行うときは、湯又は水がバイパス管１５側にのみ流れ込むように流路が切り替えられる。
【００３２】
このように、実施の形態２の浴槽洗浄ユニット１によれば、銀イオン発生装置７は、洗剤混合部５をバイパスするバイパス管１５に設けられ、このバイパス管１５の上流端に流路切替弁９５が設けられているので、流路切替弁９５を洗剤混合部５側に切り替えて、バイパス管１５側を全閉にした際に洗剤混合部５で混合された洗剤液がバイパス管１５に流れ込むことが阻止される。従って、洗剤液がバイパス管１５に設けた銀イオン発生装置７の銀電極７３と接触することが防止され、銀電極７３に洗剤が付着して銀イオンの発生性能が劣化されることもない。
【００３３】
しかも、洗浄管１３において流路切替弁９５の上流位置には逆流防止装置６が設けられているので、この逆流防止装置６によって洗剤液や銀イオンを含む湯又は水が給湯器３の出湯管３３内に流入して出湯管端末３３ａから出湯されることが阻止される。
なお、実施の形態２の浴槽洗浄ユニット１におけるその他の構成及び作用効果は、上記実施の形態１の場合と同様である。
【００３４】
＜変形例＞
上記バイパス管１５において、銀イオン発生装置７の下流位置に第二の逆流防止装置を設けるようにしてもよい。これによれば、第二の逆流防止装置によって、バイパス管１５の下流端が洗浄管１３に合流された合流部から洗剤液がバイパス管１５内に逆流することが阻止される。従って、この合流部から洗剤液がバイパス管１５に流れ込んで銀イオン発生装置７と接触することが防止され、銀電極７３に洗剤が付着して銀イオンの発生性能が劣化されることもない。
また、浴槽２に第二の洗浄ノズルを設け、バイパス管１５の下流端を洗浄管１３に合流させずに第二の洗浄ノズルに接続するようにしてもよい。この場合、上記銀イオン洗浄は、この第二の洗浄ノズルによって行われる。これによっても、バイパス管１５の下流側から洗剤液がバイパス管１５に流れ込んで銀イオン発生装置７と接触することがなく、銀電極７３に洗剤が付着して銀イオンの発生性能が劣化されることもない。
【００３５】
＜その他＞
上記洗浄用リモコン８のリモコン機能を給湯器３のリモコン（図示せず）に具備させてこの給湯器３のリモコンを多機能リモコンとして構成し、洗浄用リモコン８を設けないようにしてもよい。
また、上記浴槽洗浄ユニット１は、給湯器３に接続するが、洗浄管１３の上流端を水道蛇口等の水供給源に接続するようにしてもよい。
【図面の簡単な説明】
【００３６】
【図１】実施の形態１による浴槽洗浄ユニットの全体構成を示す概略構成図である。
【図２】銀イオン発生装置の筒部の構成を示す断面図である。
【図３】実施の形態１の変形例による浴槽洗浄ユニットの全体構成を示す概略構成図である。
【図４】実施の形態２による浴槽洗浄ユニットの全体構成を示す概略構成図である。
【図５】従来の浴槽洗浄ユニットの全体構成を示す概略構成図である。
【符号の説明】
【００３７】
１  浴槽洗浄ユニット
２  浴槽
３  給湯器（湯又は水の供給源）
５  洗剤混合部
６  逆流防止装置
７  銀イオン発生装置
１１  洗浄ノズル
１２  洗剤タンク
１３  洗浄管
１４  洗剤供給管
１５  バイパス管（第二の洗浄管）
３０  接続管
７３  銀電極
９５  流路切替弁
【図１】
0004608561.tif 000002
【図２】
0004608561.tif 000003
【図３】
0004608561.tif 000004
【図４】
0004608561.tif 000005
【図５】
0004608561.tif 000006